【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
肯定応答されるべき１より多いダウンリンク送信を搬送する１より多いダウンリンクサブフレームに後続するアップリンクサブフレームの利用可能性に少なくとも部分的に基づいて、前記ダウンリンク送信に肯定応答するための物理アップリンク制御チャネル（ＰＵＣＣＨ）を送信するためのサブフレームを決定することと、および
前記決定されたサブフレーム中で前記ＰＵＣＣＨを送信することと
を備え、
前記決定することが、前記ダウンリンク送信を受信した後の固定持続時間の後の第１の利用可能なサブフレームとして、前記ＰＵＣＣＨを送信するための前記サブフレームを決定することを備え、ここにおいて、前記ダウンリンク送信が、バンドルされた物理アップリンク共有チャネル（ＰＤＳＣＨ）を備え、
前記決定されたサブフレーム中で送信される前記ＰＵＣＣＨが、複数のＰＤＳＣＨのためのフィードバックを与える、
方法。
【請求項２】
前記ＰＵＣＣＨが、前記複数のＰＤＳＣＨのためのフィードバックとしてシングルビット(single bit)を備える、または
前記ＰＵＣＣＨが、前記複数のＰＤＳＣＨの各々のためのフィードバックとして１ビットを備える、
請求項１に記載の方法。
【請求項３】
前記複数のＰＤＳＣＨがＰＤＳＣＨの１つまたは複数のグループを備え、および
前記ＰＵＣＣＨが、ＰＤＳＣＨの各グループのためのフィードバックとして１ビットを備える、
請求項１に記載の方法。
【請求項４】
ＰＵＣＣＨのための利用可能なアップリンクサブフレームのセットのシグナリングを受信することをさらに備え、
ここにおいて、前記決定することが、ＰＵＣＣＨのための利用可能なアップリンクサブフレームの前記セットのうちの第１の利用可能なアップリンクサブフレームとして、前記ＰＵＣＣＨを送信するための前記サブフレームを決定することを備える、
請求項１に記載の方法。
【請求項５】
物理アップリンク共有チャネル（ＰＵＳＣＨ）のための利用可能なサブフレームのセットのシグナリングを受信することと、および
前記受信されたシグナリングに基づいて、前記ＰＵＳＣＨを送信するための少なくとも１つのサブフレームを決定することと
をさらに備える、請求項４に記載の方法。
【請求項６】
前記決定することは、
前記ＵＥが全二重動作のために構成されたのか半二重動作のために構成されたのかにさらに基づいて、前記ＰＵＣＣＨを送信するための前記サブフレームを決定すること
を備える、請求項１に記載の方法。
【請求項７】
前記決定することは、
前記ＵＥが全二重動作に構成された場合、前記ダウンリンク送信を受信した後の固定持続時間の後の第１の利用可能なサブフレームとして、前記ＰＵＣＣＨを送信するための前記サブフレームを決定することと、ここにおいて、前記固定持続時間が、構成されたハイブリッド自動再送要求（ＨＡＲＱ）タイミングに基づく、または
前記ＵＥが半二重動作のために構成された場合、ＰＵＣＣＨのための利用可能なアップリンクサブフレームの受信されたセットに基づいて、前記ＰＵＣＣＨを送信するための前記サブフレームを決定することと
を備える、請求項６に記載の方法。
【請求項８】
前記決定することは、
前記ＰＵＣＣＨが基地局との初期メッセージ交換の第１のＰＵＣＣＨである場合、バンドルされた物理ダウンリンク共有チャネル（ＰＤＳＣＨ）を受信した後の第１の利用可能なサブフレームとして、前記ＰＵＣＣＨを送信するための前記サブフレームを決定すること
を備える、請求項１に記載の方法。
【請求項９】
ワイヤレス通信のための装置であって、
肯定応答されるべき１より多いダウンリンク送信を搬送する１より多いダウンリンクサブフレームに後続するアップリンクサブフレームの利用可能性に少なくとも部分的に基づいて、前記ダウンリンク送信に肯定応答するための物理アップリンク制御チャネル（ＰＵＣＣＨ）を送信するためのサブフレームを決定するための手段と、および
前記決定されたサブフレーム中で前記ＰＵＣＣＨを送信するための手段と
を備え、
決定するための前記手段が、前記ダウンリンク送信を受信した後の固定持続時間の後の第１の利用可能なサブフレームとして、前記ＰＵＣＣＨを送信するための前記サブフレームを決定するための手段を備え、ここにおいて、前記ダウンリンク送信が、バンドルされた物理アップリンク共有チャネル（ＰＤＳＣＨ）を備え、
前記決定されたサブフレーム中で送信される前記ＰＵＣＣＨが、複数のＰＤＳＣＨのためのフィードバックを与える、
装置。
【請求項１０】
前記ＰＵＣＣＨが、前記複数のＰＤＳＣＨのためのフィードバックとしてシングルビット(single bit)を備える、または
前記ＰＵＣＣＨが、前記複数のＰＤＳＣＨの各々のためのフィードバックとして１ビットを備える、または
前記複数のＰＤＳＣＨがＰＤＳＣＨの１つまたは複数のグループを備え、
前記ＰＵＣＣＨが、ＰＤＳＣＨの各グループのためのフィードバックとして１ビットを備える、
請求項９に記載の装置。
【請求項１１】
ＰＵＣＣＨのための利用可能なアップリンクサブフレームのセットのシグナリングを受信するための手段をさらに備え、
ここにおいて、決定するための前記手段が、ＰＵＣＣＨのための利用可能なアップリンクサブフレームの前記セットのうちの第１の利用可能なアップリンクサブフレームとして、前記ＰＵＣＣＨを送信するための前記サブフレームを決定するための手段を備える、
請求項９に記載の装置。
【請求項１２】
物理アップリンク共有チャネル（ＰＵＳＣＨ）のための利用可能なサブフレームのセットのシグナリングを受信するための手段と、および
前記受信されたシグナリングに基づいて、前記ＰＵＳＣＨを送信するための少なくとも１つのサブフレームを決定するための手段と
をさらに備える、請求項１１に記載の装置。
【請求項１３】
決定するための前記手段は、
前記ＵＥが全二重動作のために構成されたのか半二重動作のために構成されたのかにさらに基づいて、前記ＰＵＣＣＨを送信するための前記サブフレームを決定するための手段
を備える、請求項９に記載の装置。
【請求項１４】
決定するための前記手段は、
前記ＵＥが全二重動作に構成された場合、前記ダウンリンク送信を受信した後の固定持続時間の後の第１の利用可能なサブフレームとして、前記ＰＵＣＣＨを送信するための前記サブフレームを決定するための手段と、ここにおいて、前記固定持続時間が、構成されたハイブリッド自動再送要求（ＨＡＲＱ）タイミングに基づく、または
前記ＵＥが半二重動作のために構成された場合、ＰＵＣＣＨのための利用可能なアップリンクサブフレームの受信されたセットに基づいて、前記ＰＵＣＣＨを送信するための前記サブフレームを決定するための手段と
を備える、請求項１３に記載の装置。
【請求項１５】
決定するための前記手段は、
前記ＰＵＣＣＨが基地局との初期メッセージ交換の第１のＰＵＣＣＨである場合、バンドルされた物理ダウンリンク共有チャネル（ＰＤＳＣＨ）を受信した後の第１の利用可能なサブフレームとして、前記ＰＵＣＣＨを送信するための前記サブフレームを決定するための手段
を備える、請求項９に記載の装置。
【手続補正２】
【補正対象書類名】明細書
【補正対象項目名】０１０１
【補正方法】変更
【補正の内容】
【０１０１】
[0112]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
ユーザ機器（ＵＥ）によるワイヤレス通信のための方法であって、
肯定応答されるべき１つまたは複数のダウンリンク送信を搬送する１つまたは複数のダウンリンクサブフレームに後続するアップリンクサブフレームの利用可能性に少なくとも部分的に基づいて、前記ダウンリンク送信に肯定応答するための物理アップリンク制御チャネル（ＰＵＣＣＨ）を送信するための少なくとも１つのサブフレームを決定することと、および
前記決定された少なくとも１つのサブフレーム中で前記ＰＵＣＣＨを送信することと
を備える、方法。
［Ｃ２］
前記決定することが、
前記ダウンリンク送信を受信した後の固定持続時間の後の第１の利用可能なサブフレームとして、前記ＰＵＣＣＨを送信するための前記少なくとも１つのサブフレームを決定することを備え、ここにおいて、前記ダウンリンク送信が、バンドルされた物理アップリンク共有チャネル（ＰＤＳＣＨ）を備える、
Ｃ１に記載の方法。
［Ｃ３］
前記ＰＵＣＣＨが、複数のＰＤＳＣＨのためのフィードバックを与える、Ｃ２に記載の方法。
［Ｃ４］
前記ＰＵＣＣＨが、前記複数のＰＤＳＣＨのためのフィードバックとしてシングルビット(single bit)を備える、Ｃ３に記載の方法。
［Ｃ５］
前記ＰＵＣＣＨが、前記複数のＰＤＳＣＨの各々のためのフィードバックとして１ビットを備える、Ｃ３に記載の方法。
［Ｃ６］
前記複数のＰＤＳＣＨがＰＤＳＣＨの１つまたは複数のグループを備え、および
前記ＰＵＣＣＨが、ＰＤＳＣＨの各グループのためのフィードバックとして１ビットを備える、
Ｃ３に記載の方法。
［Ｃ７］
ＰＵＣＣＨのための利用可能なアップリンクサブフレームのセットのシグナリングを受信することをさらに備え、ここにおいて、
前記決定することが、ＰＵＣＣＨのための利用可能なアップリンクサブフレームの前記セットのうちの第１の利用可能なアップリンクサブフレームとして、前記ＰＵＣＣＨを送信するための前記少なくとも１つのサブフレームを決定することを備える、
Ｃ１に記載の方法。
［Ｃ８］
物理アップリンク共有チャネル（ＰＵＳＣＨ）のための利用可能なサブフレームのセットのシグナリングを受信することと、および
前記受信されたシグナリングに基づいて、前記ＰＵＳＣＨを送信するための少なくとも１つのサブフレームを決定することと
をさらに備える、Ｃ７に記載の方法。
［Ｃ９］
前記決定することは、
前記ＵＥが全二重動作のために構成されたのか半二重動作のために構成されたのかにさらに基づいて、前記ＰＵＣＣＨを送信するための前記少なくとも１つのサブフレームを決定すること
を備える、Ｃ１に記載の方法。
［Ｃ１０］
前記決定することは、
前記ＵＥが全二重動作に構成された場合、前記ダウンリンク送信を受信した後の固定持続時間の後の第１の利用可能なサブフレームとして、前記ＰＵＣＣＨを送信するための前記少なくとも１つのサブフレームを決定することを備え、ここにおいて、前記固定持続時間が、構成されたハイブリッド自動再送要求（ＨＡＲＱ）タイミングに基づく、
Ｃ９に記載の方法。
［Ｃ１１］
前記決定することは、
前記ＵＥが半二重動作のために構成された場合、ＰＵＣＣＨのための利用可能なアップリンクサブフレームの受信されたセットに基づいて、前記ＰＵＣＣＨを送信するための前記少なくとも１つのサブフレームを決定すること
を備える、Ｃ９に記載の方法。
［Ｃ１２］
前記決定することは、
前記ＰＵＣＣＨが基地局との初期メッセージ交換の第１のＰＵＣＣＨである場合、バンドルされた物理ダウンリンク共有チャネル（ＰＤＳＣＨ）を受信した後の第１の利用可能なサブフレームとして、前記ＰＵＣＣＨを送信するための前記少なくとも１つのサブフレームを決定すること
を備える、Ｃ１に記載の方法。
［Ｃ１３］
ユーザ機器（ＵＥ）によるワイヤレス通信のための方法であって、
現在のサブフレーム番号と、利用可能なサブフレーム番号のパターンと、マシンタイプ通信物理ダウンリンク制御チャネル（ＭＰＤＣＣＨ）の繰返しレベルとに少なくとも部分的に基づいて、前記ＭＰＤＣＣＨを監視するための可能な開始サブフレームのセットを決定することと、および
可能な開始サブフレームの前記セットのうちの１つまたは複数のサブフレーム中で前記ＭＰＤＣＣＨを監視することと
を備える、方法。
［Ｃ１４］
セル無線ネットワーク一時識別子（Ｃ−ＲＮＴＩ）とハッシュ関数とに基づいて、前記ＭＰＤＣＣＨを監視するための可能な開始サブフレームの前記セットのうちの前記１つまたは複数のサブフレームを決定すること
をさらに備える、Ｃ１３に記載の方法。
［Ｃ１５］
間欠受信（ＤＲＸ）構成にさらに基づいて、前記ＭＰＤＣＣＨを監視するための可能な開始サブフレームの前記セットを決定すること
をさらに備える、Ｃ１３に記載の方法。
［Ｃ１６］
ワイヤレス通信のための装置であって、
肯定応答されるべき１つまたは複数のダウンリンク送信を搬送する１つまたは複数のダウンリンクサブフレームに後続するアップリンクサブフレームの利用可能性に少なくとも部分的に基づいて、前記ダウンリンク送信に肯定応答するための物理アップリンク制御チャネル（ＰＵＣＣＨ）を送信するための少なくとも１つのサブフレームを決定するための手段と、および
前記決定された少なくとも１つのサブフレーム中で前記ＰＵＣＣＨを送信するための手段と
を備える、装置。
［Ｃ１７］
決定するための前記手段が、
前記ダウンリンク送信を受信した後の固定持続時間の後の第１の利用可能なサブフレームとして、前記ＰＵＣＣＨを送信するための前記少なくとも１つのサブフレームを決定するための手段を備え、ここにおいて、前記ダウンリンク送信が、バンドルされた物理アップリンク共有チャネル（ＰＤＳＣＨ）を備える、
Ｃ１６に記載の装置。
［Ｃ１８］
前記ＰＵＣＣＨが、複数のＰＤＳＣＨのためのフィードバックを与える、Ｃ１７に記載の装置。
［Ｃ１９］
前記ＰＵＣＣＨが、前記複数のＰＤＳＣＨのためのフィードバックとしてシングルビット(single bit)を備える、Ｃ１８に記載の装置。
［Ｃ２０］
前記ＰＵＣＣＨが、前記複数のＰＤＳＣＨの各々のためのフィードバックとして１ビットを備える、Ｃ１８に記載の装置。
［Ｃ２１］
前記複数のＰＤＳＣＨがＰＤＳＣＨの１つまたは複数のグループを備え、
前記ＰＵＣＣＨが、ＰＤＳＣＨの各グループのためのフィードバックとして１ビットを備える、
Ｃ１８に記載の装置。
［Ｃ２２］
ＰＵＣＣＨのための利用可能なアップリンクサブフレームのセットのシグナリングを受信するための手段をさらに備え、ここにおいて、
決定するための前記手段が、ＰＵＣＣＨのための利用可能なアップリンクサブフレームの前記セットのうちの第１の利用可能なアップリンクサブフレームとして、前記ＰＵＣＣＨを送信するための前記少なくとも１つのサブフレームを決定するための手段を備える、Ｃ１６に記載の装置。
［Ｃ２３］
物理アップリンク共有チャネル（ＰＵＳＣＨ）のための利用可能なサブフレームのセットのシグナリングを受信するための手段と、および
前記受信されたシグナリングに基づいて、前記ＰＵＳＣＨを送信するための少なくとも１つのサブフレームを決定するための手段と
をさらに備える、Ｃ２２に記載の装置。
［Ｃ２４］
決定するための前記手段は、
前記ＵＥが全二重動作のために構成されたのか半二重動作のために構成されたのかにさらに基づいて、前記ＰＵＣＣＨを送信するための前記少なくとも１つのサブフレームを決定するための手段
を備える、Ｃ１６に記載の装置。
［Ｃ２５］
決定するための前記手段は、
前記ＵＥが全二重動作に構成された場合、前記ダウンリンク送信を受信した後の固定持続時間の後の第１の利用可能なサブフレームとして、前記ＰＵＣＣＨを送信するための前記少なくとも１つのサブフレームを決定するための手段を備え、ここにおいて、前記固定持続時間が、構成されたハイブリッド自動再送要求（ＨＡＲＱ）タイミングに基づく、Ｃ２４に記載の装置。
［Ｃ２６］
決定するための前記手段は、
前記ＵＥが半二重動作のために構成された場合、ＰＵＣＣＨのための利用可能なアップリンクサブフレームの受信されたセットに基づいて、前記ＰＵＣＣＨを送信するための前記少なくとも１つのサブフレームを決定するための手段
を備える、Ｃ２４に記載の装置。
［Ｃ２７］
決定するための前記手段は、
前記ＰＵＣＣＨが基地局との初期メッセージ交換の第１のＰＵＣＣＨである場合、バンドルされた物理ダウンリンク共有チャネル（ＰＤＳＣＨ）を受信した後の第１の利用可能なサブフレームとして、前記ＰＵＣＣＨを送信するための前記少なくとも１つのサブフレームを決定するための手段
を備える、Ｃ１６に記載の装置。
［Ｃ２８］
ワイヤレス通信のための装置であって、
現在のサブフレーム番号と、利用可能なサブフレーム番号のパターンと、マシンタイプ通信物理ダウンリンク制御チャネル（ＭＰＤＣＣＨ）の繰返しレベルとに少なくとも部分的に基づいて、前記ＭＰＤＣＣＨを監視するための可能な開始サブフレームのセットを決定するための手段と、および
可能な開始サブフレームの前記セットのうちの１つまたは複数のサブフレーム中で前記ＭＰＤＣＣＨを監視するための手段と
を備える、装置。
［Ｃ２９］
セル無線ネットワーク一時識別子（Ｃ−ＲＮＴＩ）とハッシュ関数とに基づいて、前記ＭＰＤＣＣＨを監視するための可能な開始サブフレームの前記セットのうちの前記１つまたは複数のサブフレームを決定するための手段
をさらに備える、Ｃ２８に記載の装置。
［Ｃ３０］
間欠受信（ＤＲＸ）構成にさらに基づいて、前記ＭＰＤＣＣＨを監視するための可能な開始サブフレームの前記セットを決定するための手段
をさらに備える、Ｃ２８に記載の装置。